(57)【要約】【課題】            普通仕様の電源接続端子を備え、結線作業の容易な、ネジ付けにする部品なしに結線部の塵埃保護機能を備えた換気扇を得る。【解決手段】        ファンモータ１を風洞２に取付けた本体４の前面に、吸込口を有し半径方向に広がるフランジ５を備え、このフランジ５は、周囲に形成された背面立上り６によって背面が凹状に形成されている換気扇について、そのファンモータ１に電気的に接続された電源接続端子７を有し、この電源接続端子７をフランジ５の背面の凹部８内に設けた保護ケース９に収納し、この保護ケース９について、電源接続端子７の接続部１０を呈出させる窓１１を有し、窓１１の対向側においてフランジ５の背面に回動可能に支持部１２，１３において両持支持され、倒伏起立できる構成とする。【選択図】          図１
2006250434.tif 000002
【特許請求の範囲】
【請求項１】
ファンモータを風洞に取付けた本体の前面に、吸込口を有し半径方向に広がるフランジを備え、このフランジは、周囲に形成された背面立上りによって背面が凹状に形成されている換気扇であって、前記ファンモータに電気的に接続された電源接続端子を有し、この電源接続端子を前記フランジの背面の凹部内に設けた保護ケースに収納し、この保護ケースは、前記電源接続端子の接続部を呈出させる窓を有し、この窓の対向側において前記フランジの背面に回動可能に支持部において両持支持され、倒伏起立できる構成である換気扇。
【請求項２】
請求項１に記載の換気扇であって、保護ケースの反回動支点側を保持し、同保護ケースを倒伏状態に弾性的に維持する保持爪をフランジの背面に設けた換気扇。
【請求項３】
請求項１又は請求項２のいずれかに記載の換気扇であって、分割要素の嵌め込みで保護ケースとなる構成とし、電源接続端子を分割要素を分離して収めることができるようにした換気扇。
【請求項４】
請求項１〜請求項３までのいずれかに記載の換気扇であって、保護ケースの回動範囲を規制する回動規制手段を設けた換気扇。
【請求項５】
請求項１〜請求項４までのいずれかに記載の換気扇であって、保護ケースの一方の支持部を筒状に構成し、ファンモータと電源接続端子を電気的に接続している電線を挿通させた換気扇。
【請求項６】
請求項１〜請求項５までのいずれかに記載の換気扇であって、保護ケースの窓に塵埃の侵入を防ぐ構造を設けた換気扇。
【発明の詳細な説明】
【技術分野】
【０００１】
本発明は、ファンモータと電気的に接続された電源接続端子を有する換気扇に関するものである。
【背景技術】
【０００２】
ファンモータと電気的に接続された電源接続端子を有する換気扇では、電源線を電源接続端子（速結端子）に被覆を除去して差込むだけで結線ができる。そして、さらに、電源接続端子への電源線への差込み作業をし易くするために電源接続端子を差込み易い位置に回動できるようにしたものがある。なお、この種の従来技術としては、特許文献１に開示されたものが有る。
【０００３】
【特許文献１】特開２０００−１２１１１９号公報
【発明の開示】
【発明が解決しようとする課題】
【０００４】
上記この種の従来の換気扇においては、電源接続端子に支持ピンの係合部を設け、取付相手の換気扇のフランジには、支持ピンを持つ一対の支持片を設けなければならず、専用の電源接続端子を作らなければならない。また、結線した電源接続端子を塵埃から保護するための保護カバーを設けることも有るが、保護カバーの取付けは、取付ネジによって行われ、工具を使って行わなければならず、壁、天井などの高所では、狭隘な部分でもあり作業し辛いといった問題点がある。
【０００５】
本発明は、係る従来の問題点を解決するためになされたものであって、その課題とするところは、普通仕様の電源接続端子を備え、結線作業の容易な、ネジ付けにする部品なしに結線部の塵埃保護機能を備えた換気扇を得ることである。
【課題を解決するための手段】
【０００６】
前記課題を達成するために本発明は、ファンモータを風洞に取付けた本体の前面に、吸込口を有し半径方向に広がるフランジを備え、このフランジは、周囲に形成された背面立上りによって背面が凹状に形成されている換気扇について、そのファンモータに電気的に接続された電源接続端子を有し、電源接続端子をフランジの背面の凹部内に設けた保護ケースに収納し、保護ケースは、電源接続端子の接続部を呈出させる窓を有し、窓の対向側においてフランジの背面に回動可能に支持部において両持支持され、倒伏起立できる構成とする手段を採用する。
【発明の効果】
【０００７】
上記手段を採用することにより、電源接続端子は、保護ケースごと起立させて窓から呈出する接続部に結線することができ、倒伏させて凹部に収めれば、結線作業が完了する。従って、普通仕様の電源接続端子による、結線作業の容易な、ネジ付けにする部品なしに結線部の塵埃保護機能を備えた換気扇が得られる。
【発明を実施するための最良の形態】
【０００８】
本発明の換気扇は、ファンモータを風洞の中に取付脚によって取付けた本体を備えている。本体の前面には、吸込口を有し半径方向に広がるフランジを備えている。フランジは、周囲に形成された背面立上りによって背面が凹状に形成されている。ファンモータには、電気的に接続された電源接続端子が繋がっていて、その電源接続端子は、フランジの背面の凹部の一隅に収まるように設けた保護ケースに収納されている。保護ケースは、電気絶縁性のあるプラスチックで作られていて、電源接続端子の接続部を呈出させる窓を有し、窓の対向側においてフランジに回動可能に支持部において両持支持され、倒伏起立できる。保護ケースは、フランジの前面に対して垂直面内で回動でき、倒伏状態ではフランジ背面に接合し、凹部内に収まっている。
【０００９】
電源接続端子は、保護ケースごと起立させて窓から呈出する接続部に電源コードを結線することができ、倒伏させて凹部に収めれば、結線作業が完了する。保護ケースは、電源接続端子をほぼ包み込む構造になっていて、塵埃から電源接続端子を保護する機能を果たす。
【００１０】
実施の形態１．
図１は、本実施の形態の換気扇を、保護ケースを倒伏させて示す背面斜視図、図２は、、保護ケースを起立させて示す換気扇の背面斜視図、図３は、換気扇の保護ケース部分を拡大して示す背面斜視図、図４は、図３の換気扇の保護ケース部分を除いて示す背面斜視図、図５は、保護ケースの斜視図、図６は、保護ケースの分解斜視図、図７は、保護ケースの動作を示す側断面図である。
【００１１】
本発明の換気扇は、ファンモータ１を風洞２の中に三本の取付脚３によって取付けた本体４を備えている（図１参照）。本体４の前面には、吸込口を有し半径方向に広がるフランジ５を備えている。フランジ５は、周囲に形成された背面立上り６によって背面が凹状に形成されている。ファンモータ１には、電気的に接続された電源接続端子７が繋がっていて、その電源接続端子７は、フランジ５の背面の凹部８の一隅に収まるように設けた保護ケース９に収納されている。保護ケース９は、電気絶縁性のあるプラスチックで作られていて、電源接続端子７の接続部１０を呈出させる窓１１を有し、窓１１の対向側においてフランジ５に回動可能に支持部１２，１３において両持支持され、倒伏起立できる（図１，２参照）。保護ケース９は、フランジ５の前面に対して垂直面内で０度から１１０度の範囲で回動でき、倒伏状態ではフランジ背面に接合し、図３に示すように凹部８内に収まっている。
【００１２】
保護ケース９の片方の支持部１２は、円筒状の突出部として構成され、他の支持部１３は、軸状の突起として構成されている。円筒状の支持部１２の外周はリング状の溝１４が形成され、フランジ５の背面に設けられた対向する支持爪１５間に溝１４が弾性的に嵌め込まれ、軸状の支持部１３は、フランジ５の側面に設けられた係合孔１６に回動可能に嵌め込まれている。保護ケース９は図６に示すように、フランジ５の背面側の要素Ａと、内側の要素Ｂとに二分割され、係合構造１７で係脱可能に嵌め合わされている。保護ケース９の窓１１に接続部１０を向けて収込まれた電源接続端子７とファンモータ１とを電気的に接続している電線は、筒状の支持部１２に挿通されている。この構成を採用することにより、電線の捩じり剛性が保護ケース９に加わり、起立状態でのふら付きが防がれ、安定する。また、電線の保護も図ることができる。窓１１は、保護ケース９の側壁１８をフランジ側の要素Ａについて切欠いた部分１１ａと下カバーＣの開口部１１ｂとで構成され、保護ケース９を閉じたとき下カバーと組み合わさり電源線引出開口部分が形成される。保護ケース９を開いたときには下カバーＣは本体に係止固定されて本体側に残り電源接続端子７が現れる。電源線接続をして保護ケースを閉じたときは、保護ケースの開口部が塞がれ塵埃の侵入を防ぐことができる。図３では、電源線引出開口部分しか見えないが、図２のように回動させると電源接続端子７が現れる。
【００１３】
フランジ５における保護ケース９の回動側の背面立上り６の内側には保護ケース９に当たり、その回動を規制する回動規制突部１９が形成されている（図７参照）。これにより、保護ケース９の回動が１１０度くらいで規制され、結線し易い位置で安定して止めることができる。また、保護ケース９の回動側のフランジ５の背面には、弾性変形によって保護ケース９を保持し、保持解除できる保持爪２０が設けられ、倒伏状態の保護ケース９の安定性が確保されている（図４参照）。
【００１４】
この換気扇では、電源接続端子７は、保護ケース９ごと起立させて窓１１から呈出する接続部１０に電源コードを結線することができ、倒伏させて凹部８に収めれば、結線作業が完了する。倒伏状態の保護ケース９の安定性は、保持爪２０により確保されている。保護ケース９は、電源接続端子７をほぼ包み込む構造になっていて、塵埃から電源接続端子７を確り保護する機能を果たす。即ち、普通仕様の電源接続端子７による、結線作業の容易な、ネジ付けにする部品なしに結線部の塵埃保護機能を備えた換気扇が得られる。
【図面の簡単な説明】
【００１５】
【図１】換気扇を、保護ケースを倒伏させて示す背面斜視図である。（実施の形態１）
【図２】保護ケースを起立させて示す換気扇の背面斜視図である。（実施の形態１）
【図３】換気扇の保護ケース部分を拡大して示す背面斜視図である。（実施の形態１）
【図４】図３の換気扇の保護ケース部分を除いて示す背面斜視図である。（実施の形態１）
【図５】保護ケースの斜視図である。（実施の形態１）
【図６】保護ケースの分解斜視図である。（実施の形態１）
【図７】保護ケースの動作を示す側断面図である。（実施の形態１）
【符号の説明】
【００１６】
１  ファンモータ、  ４  本体、  ５  フランジ、  ６  背面立上り、  ７  電源接続端子、  ８  凹部、  ９  保護ケース、  １０  接続部、  １１  窓、  １２，１３  支持部、  １５  支持爪、  １７  係合構造、  １９  回動規制突部、  ２０  保持爪。
【図１】
2006250434.tif 000003
【図２】
2006250434.tif 000004
【図３】
2006250434.tif 000005
【図４】
2006250434.tif 000006
【図５】
2006250434.tif 000007
【図６】
2006250434.tif 000008
【図７】
2006250434.tif 000009